(57)【要約】【課題】読取り回転台が振れた場合でも、駆動ローラ間又は駆動ローラと回転台との接触を良好に維持して回転台をスムーズに回転させる。【解決手段】読取り台である回転台１１の上に載せた写真及び手書きカード等の画像を素材画像として読み取り、この素材画像からアルバム画像を作成する装置で、モータ１９に接続された第１駆動ローラ２１、この第１駆動ローラ２１と回転台１１（駆動円１１Ｃ）との間に配置される第２駆動ローラ２２、この第２駆動ローラ２２を回転可能かつ駆動円１１Ｃの接線方向に移動可能に保持すると共に、駆動円１１Ｃの径方向に揺動可能に軸支された第２ローラ保持体２４、回転台１１が水平方向で動いたとき、駆動円１１Ｃと第１駆動ローラ２１の両方に対し第２駆動ローラ２２を良好に接触させる付勢部材２７，３２を設ける。【選択図】図１
2007027884.tif 000002
【特許請求の範囲】
【請求項１】
読取り台に配置した写真及び手書きカードを含む各種読取り物を電子的な素材画像として読み取り、この素材画像を表示部へ表示しながらアルバム画像を作成する電子アルバム作成装置において、
上記読取り台として設けられた回転台と、
回転駆動力を伝達する第１駆動ローラと、
この第１駆動ローラと上記回転台の駆動円の外周又は内周との間に配置され、この回転台を回転させる第２駆動ローラと、
この第２駆動ローラを回転可能かつ上記回転台駆動円の接線方向に移動可能に保持すると共に、上記回転台駆動円の径方向に揺動可能に軸支された第２ローラ保持体と、
上記回転台が振れながら回転するとき、上記回転台駆動円の外周又は内周と上記第１駆動ローラの両方に対し上記第２駆動ローラの接触状態を維持するための付勢部材と、を設けたことを特徴とする電子アルバム作成装置。
【請求項２】
上記付勢部材として、上記第２駆動ローラを回転台駆動円の外周又は内周に接触させるための付勢部材と、上記第２駆動ローラを第１駆動ローラに接触させるための付勢部材と、を設けたことを特徴とする請求項１記載の電子アルバム作成装置。
【請求項３】
上記付勢部材として、上記回転台駆動円の外周又は内周と上記第１駆動ローラの両方に対し上記第２駆動ローラの接触状態を維持するための単一の付勢部材を設けたことを特徴とする請求項１記載の電子アルバム作成装置。
【発明の詳細な説明】
【技術分野】
【０００１】
本発明は電子アルバム作成装置、特に電子アルバム作成の基になる写真や手書きカード等の画像を傾きのない状態で読み取るために、読取り台を回転できるようにするための回転台駆動機構の構成に関する。
【背景技術】
【０００２】
従来から、各種の場面で撮影した写真を紙の台紙に貼り付けたアルバムが存在するが、近年では、パソコン（パーソナルコンピュータ）やデジタルカメラ、スキャナ等のＩＴ装置の普及に伴い、パソコンにデジタル写真を電子的に格納し、専用のソフト等で電子アルバムを作成することが行われている。このような電子アルバムによれば、後に、旅行や行事等の思い出が表現された画像を画質劣化のない状態で観賞して楽しむことができる。
【特許文献１】特許第３１２２９００号公報
【特許文献２】特開２００４-２０１０５１号公報
【発明の開示】
【発明が解決しようとする課題】
【０００３】
ところで、パソコン、スキャナ等のＩＴ装置で電子アルバムを作成する場合は、このパソコン等のＩＴ装置や専用のアルバム作成ソフトの知識の習得が必要となり、これらの知識の習得に時間がかかり面倒である場合が多く、またパソコンの取扱いが苦手である場合は、電子的なアルバムの作成に興味を持つことができない。
【０００４】
このような現状から、本出願人は、写真やカード等の画像を読取り部で読み取り、これらの読取り画像から簡単に電子アルバムを作成する新しい装置を提案しているが、上記読取り部で写真、カードを読み取る際に、これら写真等を正規の状態（外周縦横線を真っ直ぐにした位置）に置くことができずに、画像が傾いて読み取られる場合がある。この場合には、写真等を置き直して再度読取りを行うか、読み取った後に画像を専用のソフト等で回転修正することになる。しかし、このような再読取り作業や画像の回転修正は煩雑であり、また読取り画像を回転修正する場合は画質が低下するという不都合もある。
【０００５】
そこで、本願出願人は、特願２００５−２８２４７に示されるように、読取り台（写真台）に置いた写真、文字カード等の傾きを修正できるように、読取り台として回転台を設け、この回転台をモータで自動的に回転できるように構成することを提案している。そして、この出願では、円板状回転台の中心軸（回転軸）に歯車を配置し、この中心軸を駆動することによって回転台を回転させているが、この回転台を回転させる他の方法としては、図７に示す構成が考えられる。
【０００６】
図７（Ａ）には、回転台の外周面を回転駆動する駆動機構が示されており、モータの回転が伝達される第１駆動ローラ１（軸固定）に対し第２駆動ローラ２が回転可能に接続され、この第２駆動ローラ２に回転台３の外周面が接触するように取り付けられる。上記第２駆動ローラ２は、軸４ａを中心に揺動可能となる保持体４に保持されており、この保持体４はバネ（テンションバネ）５によって図の右側、即ち回転台３の中心点Ｏから垂直に引いた線１００側（図の右側）へ付勢される。
【０００７】
これによれば、上記バネ５で保持体４が引っ張られることによって第２駆動ローラ２が第１駆動ローラ１に対し適度な圧力で接触し、この第１駆動ローラ１の回転力を第２駆動ローラ２を介して伝達することにより、回転台３を回転駆動することができる。このような駆動機構の場合は、回転台３の中心軸を駆動する構成（特願２００５−２８２４７）と比較すると、簡単な構成で回転台３を高精度に動かすことができると共に、モータを含む駆動機構を小型化、低コスト化することができる利点がある。
【０００８】
しかしながら、図７（Ａ）の構成においては、回転台３が振れる（軸ブレ等）ことで回転台３の外周（ローラ駆動円）の位置が水平方向へ動くことが起こり、第１駆動ローラ１の回転力が回転台３へ伝達できない場合が生じるという問題がある。例えば、図７（Ａ）の鎖線位置３ｂに回転台３が動いた場合は、第２駆動ローラ２と回転台３との接触が維持されず、図７（Ｂ）に示されるように、実線位置３ｆに回転台３が動いた場合は、第２駆動ローラ２と第１駆動ローラ１との間に隙間Ｈが空くことになり、何れの場合も回転力を回転台３に伝えることができない。
【０００９】
本発明は上記問題点に鑑みてなされたものであり、その目的は、読取り台である回転台が振れて動いた場合でも、駆動ローラ間又は駆動ローラと回転台との接触を良好に維持して回転台をスムーズに回転させることができ、傾いた状態の読取り物を自動的に真っ直ぐの位置に配置することが可能となる電子アルバム作成装置を提供することにある。
【課題を解決するための手段】
【００１０】
上記目的を達成するために、請求項１の発明に係る電子アルバム作成装置は、読取り台に配置した写真及び手書きカードを含む各種読取り物を電子的な素材画像として読み取り、この素材画像を表示部へ表示しながらアルバム画像を作成する電子アルバム作成装置において、上記読取り台として設けられた回転台と、回転駆動力を伝達する第１駆動ローラと、この第１駆動ローラと上記回転台の駆動円（駆動ローラが接触して駆動する軌跡円）の外周（外側）又は内周（内側）との間に配置され、この回転台を回転させる第２駆動ローラと、この第２駆動ローラを回転可能かつ上記回転台駆動円の接線方向に移動可能に保持すると共に、上記回転台駆動円の径方向に揺動可能に軸支された第２ローラ保持体と、上記回転台が振れながら（水平面上で動きながら）回転するとき、上記回転台駆動円の外周又は内周と上記第１駆動ローラの両方に対し上記第２駆動ローラの接触状態を維持するための付勢部材と、を設けたことを特徴とする。
請求項２に係る発明は、上記付勢部材として、上記第２駆動ローラを回転台駆動円の外周又は内周に接触させるための付勢部材と、上記第２駆動ローラを第１駆動ローラに接触させるための付勢部材と、を設けたことを特徴とする。
請求項３に係る発明は、上記付勢部材として、上記回転台駆動円の外周又は内周と上記第１駆動ローラの両方に対し上記第２駆動ローラの接触状態を維持するための単一の付勢部材を設けたことを特徴とする。
【００１１】
上記の構成によれば、第２駆動ローラが第２ローラ保持体によって回転台（読取り台）駆動円の径方向に揺動可能な状態で、かつ駆動円（回転台外周又は内周）の接線方向に移動できるようになるので、回転台が水平方向へ動いた（横揺れした）場合でも、第２駆動ローラが回転台駆動円と第１駆動ローラの両方に確実に接触することになり、これによって回転台はスムーズに回転することになる。
【００１２】
請求項３の構成の単一の付勢部材は、第２駆動ローラを回転台駆動円の外周又は内周に接触させるための回転台駆動円径方向の付勢力と、第２駆動ローラを第１駆動ローラに接触させるための回転台駆動円接線方向の付勢力とに分解できる付勢力を持つように取付け配置される。
【発明の効果】
【００１３】
本発明の電子アルバム作成装置によれば、読取り台である回転台が振れた場合でも、第１駆動ローラと第２駆動ローラとの接触又は第２駆動ローラと回転台との接触を良好に維持して回転台をスムーズに回転させることができ、傾いた状態の読取り物を自動的に真っ直ぐの位置に配置すること等が可能となる。即ち、操作スイッチで回転台を自動的に回転させ、読取り物（画像）の傾きを表示部上で確認しながら直したり、読取り物又は読取り画像の傾きの状態を自動的に検出してその傾きを修正したりすることが可能となる。
【発明を実施するための最良の形態】
【００１４】
図１乃至図４には、第１実施例に係る電子アルバム作成装置の構成が示されており、まず図３及び図４により全体の構成を説明する。図３及び図４に示されるように、この装置は、写真、手書きカード及びタイトルカード等の読取り物（Ｐ１）を載せるために水平平面台とされた読取り台（写真台）１０、この読取り台１０の手前側に設けられた操作部１２、写真等の画像を読み取る画像読取り部１３、液晶ディスプレイからなる液晶表示部１４及び照明部１５を備えている。そして、上記読取り台１０には、その台面と同一面内で回転する円板状回転台１１が設けられており、図４のように、この回転台１１は、その回転軸１６ａが軸受け部１６ｂに軸支されており、この回転台１１は時計方向及び反時計方向へ回転する。
【００１５】
上記操作部１２は、図３に示されるように、上下左右移動キー１２ａ、入力キー１２ｂ、終了キー１２ｃ、剥しキー１２ｄ、貼付けキー１２ｅを有しており、これらのキー１２ａ〜１２ｅによって編集のための操作が行われる。また、上記読取り部１３は、図４に示されるように、対物レンズ１３ａ及び固体撮像素子であるＣＣＤ１３ｂから構成されており、この対物レンズ１３ａはＣＣＤ１３ｂの撮像中心軸に対してレンズシフトさせることにより、斜め方向にある回転台１１上の読取り物を画像変形（台形変形）なく読み取ることができる。
【００１６】
そして、図１、図２及び図４に示されるように、上記回転台１１を回転させるための駆動機構が設けられており、この回転台駆動機構は、モータ１９に軸接続された第１駆動ローラ２１、この第１駆動ローラ２１に接触する第２駆動ローラ２２、この第２駆動ローラ２２を保持する第２ローラ保持体２４を有する。この第２ローラ保持体２４は、揺動軸２４ｚで揺動自在に軸支され、また第２駆動ローラ２２を回転台１１（駆動円１１Ｃ）の外周に接触させるために、この駆動円（駆動ローラ接触円）１１Ｃの径方向で内側（中心方向）へ向けて付勢する（付勢力Ｆｒｉを発生させる）第１バネ（テンションバネ）２７が設けられる。なお、図１のＯ点は駆動円１１Ｃの中心である。更に、この第２ローラ保持体２４には、第２駆動ローラ２２の軸２２ｚをスライド可能に配置するために回転台駆動円１１Ｃの接線方向に長い長孔２５を形成しており、この長孔２５によって第２駆動ローラ２２が駆動円１１Ｃの接線方向へ移動可能となる。
【００１７】
また、上記第２駆動ローラ２２の軸２２ｚの軸受け部２８とアルバム作成装置本体２９に取り付けられたピン３１との間に、付勢部材としての第２バネ３２が設けられ、この第２バネ３２によって、第２駆動ローラ２２に対し駆動円１１Ｃの接線方向で第１駆動ローラ２１側へ向かう付勢力Ｆｔが与えられる。
【００１８】
第１実施例は以上の構成からなり、図１の回転台駆動機構によれば、回転台１１が軸ブレ等で水平方向へ動いた場合でも、第２駆動ローラ２２が第１駆動ローラ２１と回転台１１の外周面にしっかりと接触することになる。即ち、図１（Ｂ）の実線位置１１ｆのように、回転台１１の外周面（駆動円１１Ｃ）が外側に振れた場合は、第１バネ２７の付勢力Ｆｒｉに抗して第２ローラ保持体２４が軸２４ｚを中心に外側へ揺動する共に、第２駆動ローラ２２が第２バネ３２の付勢力Ｆｔで第１駆動ローラ２１と回転台１１とに押し付けられ、これによって第１駆動ローラ２１と回転台１１の外周面に対する第２駆動ローラ２２の接触状態が維持される。上記とは逆に、回転台１１の外周面（駆動円１１Ｃ）が内側に動いた場合は、第２ローラ保持体２４が同じ方向へ揺動する共に、第２駆動ローラ２２が第２バネ３２の付勢力Ｆｔによって軸２４ｚへ向かう接線方向へ移動し、これによって第１駆動ローラ２１と回転台１１に対する第２駆動ローラ２２の接触状態が維持される。
【００１９】
このような回転台１１の回転駆動機構を用いて、実施例では、電子アルバム作成の素材画像を読み取るときの写真、手書きカード等の傾きを検出して自動修正することができる。まず、図３、図４の電子アルバム作成装置によるアルバム作成について簡単に説明する。この電子アルバム作成では、アルバム画像を管理しかつ識別するための識別コードが付されたタイトルカード、写真、手書き（文字、絵等）カード等の読取り物を回転台１１に置くことにより、読取り部１３にて各画像の読取りが行われ、読み取られた画像は素材画像として液晶表示部１４に表示される。また、この液晶表示部１４には、素材画像だけでなく、１枚のアルバム作成領域（画面）が表示されており、この作成領域に操作部１２の各キー１２ａ〜１２ｅを用いて素材画像を自由に貼り付けることにより、１枚の電子アルバム画像を作成することができる。
【００２０】
実施例では、読取り物の傾きを画像上で検出する検出回路（画像解析回路）が設けられており、上記読取り部１３での画像読取りの際には、読取り画像の例えば外周四辺のエッジ（コントラスト差）が傾き検出回路で検出され、このエッジ情報から読取り物の傾き（傾き角度）が演算される。そして、この傾きを判断した制御回路が傾き修正のための駆動信号をモータ１９へ出力することにより、第１駆動ローラ２１、第２駆動ローラ２２を介して回転台１１が回転し、これによって、例えば図３の写真（実線）Ｐ１のように傾いていた読取り物を写真（鎖線）Ｐ２のように真っ直ぐにすることができる。
【００２１】
図５には、上記第１バネ２７と第２バネ３２を１つのバネで構成した第２実施例の構成が示されている。図５に示されるように、第１実施例では、第２駆動ローラ２２に対し第１バネ２７は駆動円１１Ｃの径方向の内側へ向かう付勢力Ｆｒｉを付与し、第２バネ３２は接線方向の第１駆動ローラ２１側へ向かう付勢力Ｆｔを付与したが、これら付勢力ＦｒｉとＦｔを分解付勢力として与えることができる１つの第３バネ３４を設ける。即ち、この第３バネ３４は、そのベクトルが付勢力ＦｒｉとＦｔの２つのベクトルに分解されるようなものとなる。このような第３バネ３４によっても、第１駆動ローラ２１と回転台１１に対する第２駆動ローラ２２の接触状態を良好に維持することができる。
【００２２】
図６には、回転台駆動機構を回転台１１の下部に配置した第３実施例の構成が示されている。図６に示されるように、この第３実施例は、第２実施例と同一の回転台駆動機構を１８０°回転させて回転台の下部へ配置したものであり、回転台１１の裏面に円形溝を設け、この円形溝の内周面（駆動円１１Ｃの内側）に第２駆動ローラ２２を接触させる。そして、この第３実施例の第３バネ１３４は、その付勢力Ｆｄによって、第２駆動ローラ２２に対し駆動円１１Ｃの径方向で外側へ向かう付勢力Ｆｒｏと、接線方向で第１駆動ローラ２１側へ向かう付勢力Ｆｔを付与する。このような第３実施例の構成によっても、第１駆動ローラ２１と回転台駆動円１１Ｃの内側に対する第２駆動ローラ２２の接触状態を良好に維持し、回転台１１をスムーズに回転させることができる。
【００２３】
なお、上記実施例では、読取り物の傾きを自動検出するようにしたが、操作者が読取り物の傾きを判断し、回転台操作スイッチ等を操作して回転台１１を回転させ、読取り物を真っ直ぐに直すように構成してもよい。
【図面の簡単な説明】
【００２４】
【図１】本発明の電子アルバム作成装置の第１実施例に係る回転台駆動機構の構成を示し、図（Ａ）は基準状態の図、図（Ｂ）は回転台が図の上側へ動いたときの図である。
【図２】第１実施例の回転台駆動機構を側面方向から見た一部断面図である。
【図３】実施例に係る電子アルバム作成装置の上面図である。
【図４】実施例に係る電子アルバム作成装置の内部を示す側面図である。
【図５】第２実施例に係る回転台駆動機構の構成を示す図である。
【図６】第３実施例に係る回転台駆動機構の構成を示す図である。
【図７】従来の電子アルバム作成装置に適用される回転台駆動機構の構成を示し、図（Ａ）は基準状態の図、図（Ｂ）は回転台が図の上側へ動いたときの図である。
【符号の説明】
【００２５】
１，２１…第１駆動ローラ、    ２，２２…第２駆動ローラ、
４，２４…第２ローラ保持体、  ３，１１…回転台、
１０…読取り台、              １１Ｃ…（ローラ）駆動円、
１３…読取り部、              １４…液晶表示部、
１９…モータ、                ２５…長孔、
２７…第１バネ、              ３２…第２バネ、
３４，１３４…第３バネ。
【図１】
2007027884.tif 000003
【図２】
2007027884.tif 000004
【図３】
2007027884.tif 000005
【図４】
2007027884.tif 000006
【図５】
2007027884.tif 000007
【図６】
2007027884.tif 000008
【図７】
2007027884.tif 000009